(57)【要約】【課題】テレビジョン放送や映画等の映像音声データの録画／再生中に該映像音声データの視聴の妨げとなるイベントを自動的に検出し、録画／再生を停止することなく、検出時点での映像音声データの録画／再生位置を記憶し、該録画／再生位置情報を自動的に削除することが出来る記録再生装置を提供することにある。【解決手段】所定のイベント発生を示す外部音声が検出された時点で、ＨＤＤ２２に録画された放送番組が再生中であれば、メイン制御部２１が外部音声の検出時に再生されていた映像箇所が記録されているコンテンツの番組識別番号をＨＤＤ２２内の磁気ディスクから読み出し、さらに、該映像箇所が再生開始から何時の時点で再生されていたかを示す経過時間をタイマカウンタ２３から読み出し、これらの情報をＲＡＭ２４に記憶させ、ユーザが操作部１９を操作することにより、これらの情報に対応する映像箇所を直接再生する。【選択図】      図１
2006115231.tif 000002
【特許請求の範囲】
【請求項１】
テレビジョンチューナと、
前記テレビジョンチューナで受信した放送番組を録画し、前記録画された放送番組を再生するＨＤＤと、
外部音声を検出して音声信号に変換する音声検出部と、
前記音声信号の特徴パラメータを抽出する特徴抽出部と、
前記特徴パラメータを記憶する第１メモリと、
前記音声検出部で新たに外部音声が検出された場合に、前記新たに検出された外部音声の特徴パラメータと、前記第１メモリに記憶された特徴パラメータとを比較し、一定の割合以上一致するか否かを判定する判定部と、
前記ＨＤＤで録画された放送番組の再生開始時点から前記外部音声の検出時点までの第１経過時間と、前記ＨＤＤで放送番組の録画を開始した時点から前記外部音声の検出時点までの第２経過時間と、を計測するタイマカウンタと、
前記録画再生部に録画された前記放送番組の番組識別番号と前記第１及び第２経過時間を記憶する揮発性の第２メモリと、
ユーザからのキー入力を受け付ける操作部と、
前記判定部に於いて、前記新たに検出された外部音声の特徴パラメータと前記メモリに記憶された音声の特徴パラメータとを比較して、一定の割合以上一致する場合に、前記ＨＤＤで録画された放送番組を再生中であれば、前記録画再生部から前記番組識別番号を読み出し、前記タイマカウンタから前記第１経過時間を読み出して、前記ＨＤＤで放送番組の録画中であれば、前記録画再生部から前記番組識別番号を読み出し、前記タイマカウンタから前記第２経過時間を読み出して、前記番組識別番号と前記第１及び第２経過時間を前記第２メモリに記憶させ、さらに、ユーザによる前記操作部へのキー入力によって、前記第２メモリに記憶された前記番組識別番号と前記第１及び第２経過時間を読み出し、前記番組識別番号と前記第１及び第２経過時間に対応する録画された放送番組の映像箇所から再生を実行させることを特徴とする録画再生装置。
【請求項２】
テレビジョンチューナと、
前記テレビジョンチューナで受信した放送番組を録画し、前記録画された放送番組を再生する録画再生部と、
外部音声を検出して音声信号に変換する音声検出部と、
前記音声信号の特徴パラメータを抽出する特徴抽出部と、
前記特徴パラメータを記憶する第１メモリと、
前記音声検出部で新たに外部音声が検出された場合に、前記新たに検出された外部音声の特徴パラメータと、前記第１メモリに記憶された特徴パラメータとを比較し、一定の割合以上一致するか否かを判定する判定部と、
前記録画再生部で録画された放送番組の再生開始時点から前記外部音声の検出時点までの経過時間を計測するタイマカウンタと、
前記録画再生部に録画された前記放送番組の番組識別番号と前記経過時間とを記憶する第２メモリと、
前記判定部に於いて、前記新たに検出された外部音声の特徴パラメータと前記第１メモリに記憶された音声の特徴パラメータとを比較して、一定の割合以上一致する場合に、前記録画再生部が録画番組を再生中であれば、前記録画再生部から前記番組識別番号を読み出し、前記タイマカウンタから前記経過時間を読み出して、前記番組識別番号と前記経過時間とを前記第２メモリに記憶させる制御部と、を備えることを特徴とする録画再生装置。
【請求項３】
テレビジョンチューナと、
前記テレビジョンチューナで受信した放送番組を録画し、前記録画された放送番組を再生
する録画再生部と、
外部音声を検出して音声信号に変換する音声検出部と、
前記音声信号の特徴パラメータを抽出する特徴抽出部と、
前記特徴パラメータを記憶する第１メモリと、
前記音声検出部で新たに外部音声が検出された場合に、前記新たに検出された外部音声の特徴パラメータと、前記メモリに記憶された特徴パラメータとを比較し、一定の割合以上一致するか否かを判定する判定部と、
前記録画再生部で録画された放送番組の録画開始時点から前記外部音声の検出時点までの経過時間を計測するタイマカウンタと、
前記録画再生部に録画された前記放送番組の番組識別番号と前記経過時間を記憶する第２メモリと、
前記判定部に於いて、前記新たに検出された外部音声の特徴パラメータと前記第１メモリに記憶された音声の特徴パラメータとを比較して、一定の割合以上一致する場合に、前記録画再生部が放送番組を録画中であれば、前記録画再生部から前記番組識別番号を読み出し、前記タイマカウンタから前記経過時間を読み出して、前記番組識別番号と前記経過時間とを前記第２メモリに記憶させる制御部と、を備えることを特徴とする録画再生装置。
【請求項４】
前記録画再生装置は、さらに操作部を備えており、
前記制御部は、ユーザによる前記操作部へのキー入力によって、前記第２メモリに記憶された前記番組識別番号と前記経過時間を読み出し、前記番組識別番号と前記経過時間に対応する録画された放送番組の映像箇所から再生を実行させることを特徴とする、請求項２乃至３の何れか一つに記載の録画再生装置。
【請求項５】
前記第２メモリは揮発性メモリであることを特徴とする、請求項２乃至４の何れか一つに記載の録画再生装置。
【請求項６】
前記録画再生部は、ＨＤＤであることを特徴とする、請求項２乃至５の何れか一つに記載の録画再生装置。
【請求項７】
前記録画再生部は、ＤＶＤ−ＲＷで映像音声を録画再生可能なＤＶＤ装置であることを特徴とする、請求項２乃至５の何れか一つに記載の録画再生装置。
【発明の詳細な説明】
【技術分野】
【０００１】
本発明は、外部音声の検出により特定のイベントの発生を検出し、該イベントの発生時点で放送番組を録画／再生していた場合に、イベント発生時点に於ける放送番組の録画／再生箇所を自動的に記憶し、該録画／再生箇所から再生を行う方法、及び、該機能を備えた録画再生装置、特に、ＨＤＤレコーダやＤＶＤレコーダ等の録画再生装置、及び、該録画再生装置を備えたテレビジョン放送受信機に関する。
【背景技術】
【０００２】
テレビジョン放送番組や映画等の映像音声データを録画／再生する装置として、これまでＶＣＲ（Video Cassette Recorder）が広く普及してきた。しかし、近年の記録媒体の
コンパクト化、映像の高画質化及び音声の高音質化への高まる要求を受けて、大容量データを扱うことの出来るＨＤＤ（Hard Disk Drive）レコーダやＤＶＤ（Digital Versatile
Disk／Digital Video Disk）レコーダ等の録画再生装置の需要が増加している。一般に
ＶＣＲではユーザが所望の映像及び音声の再生位置を得る為には、ビデオテープを「早送り」または「巻き戻し」を行う必要があるが、ＨＤＤレコーダやＤＶＤレコーダでは、デジタルデータを使用して所望の再生位置を瞬時に得ることが出来るランダムアクセス機能を備えているので、所望の映像及び音声の再生位置を得る作業が簡素化し、作業時間を格段短縮することが可能となった。
【０００３】
ところで、ＨＤＤレコーダやＤＶＤレコーダを使用して映像音声データを録画／再生中に、来客や電話対応等の要因によって、映像音声の視聴が妨げられる、或いは、中断される場合、こうした時点での再生箇所を何らかの方法で記憶しておけば、ランダムアクセス機能の使用により映像音声データの続きを容易に検索し、鑑賞することが出来る。
【０００４】
このような映像音声データの再生箇所を記録する方法として、様々な発明が提案されている。例えば、特許文献１では、映像データ再生中に電話がかかってきた場合に、自動的に一時停止を行い、該一時停止情報を記録するＨＤＤレコーダについて記載されている。このＨＤＤレコーダでは、映像データの再生中に電話回線を通じて電話の呼出信号を検知した場合、再生を一時停止して該一時停止情報をメモリに記録し、電話の終了信号を検知した場合、一時停止位置情報を取得して再生を再開させる構成や、放送番組を受信中に電話回線を通じて電話の呼出信号を検知した場合に、この放送番組をＨＤＤに記録し、電話の終了信号を検知すると録画を継続しながら録画開始位置まで遡って追っかけ再生を行う構成が開示されている。特許文献２では、サーバから受信したデータの再生が中断された時点の時刻情報を保持しておき、この時刻情報に基づいてデータストリームの途中から再生を再開するデータ受信端末について記載されている。このデータ受信端末では、データ再生時に最後に復号・再生を行ったデータのタイムスタンプをメモリに記憶しておくことで、ユーザが途中で受信を終了した場合であっても、コンテンツを再度再生する際に、前回再生を行った続きからのデータ受信を行う構成が開示されている。特許文献３では、リジュームモードを備えた光ディスク記録再生装置について記載されている。この光ディスク記録再生装置では、ユーザによるリジュームモード選択時に於いて、再生、停止、電源遮断指示があった場合に、この時点での読み出しデータに対応する時間情報をＣＰＵ内蔵ＲＡＭ等のバックアップ用メモリに書き込み、次回再生時には、この時間情報に対応する光ディスク上の位置にヘッドアクセス制御が実行され、記録データの読み取りを開始することによって、再生を停止した位置から続けて再生を再開する構成が開示されている。
【特許文献１】特開２００２−３３５４７９号公報（第６−９頁、第１図及び第１５図）
【特許文献２】特開２００２−３３０３８１号公報（第４―７頁、第１図）
【特許文献３】特開２００２−１４０８５８号公報（第８−９頁、第６―７図）
【発明の開示】
【発明が解決しようとする課題】
【０００５】
上述の通り、特許文献１乃至３に記載の発明では、映像音声の再生中断時に於ける再生箇所に対応する時刻データをメモリに記憶しているので、再生データを記録している記録媒体への情報の書き込みを回避することが出来るという利点を認めることが出来るが、下記の問題点を解決していない。特許文献１に記載の発明では、映像データの再生中に電話の呼出信号を検知した場合、再生を一時停止して該一時停止情報をメモリに記録するが、この機能が問題となる場合がある。即ち、複数の人が同時に映像データを視聴している状況で電話の呼出信号を検知した場合、強制的に映像データが停止され、着信した電話に応答する必要がない人まで映像データの視聴が妨げられる。しかし、特許文献１に記載の発明では、再生を継続したままの状態で電話の呼出信号を検知した時点での再生位置を記憶することは出来ない。また、特許文献１に記載の発明では、電話の呼出信号を検知した際にＨＤＤで録画を開始し、電話の終了信号を検知した際に録画開始位置まで遡って追っかけ再生を行うことは出来るが、放送番組の録画中に電話の呼出信号を検知した場合の処理について言及されていない。さらに、特許文献１に記載の発明では、電話回線を利用しなければ映像データの再生を妨げるイベントの検知が不可能である。また、特許文献２に記載の発明では、データ再生が中断された時点の時刻情報をメモリに記憶させることは出来るが、データ再生を継続しながらイベント発生時点の時刻情報を記憶させることは出来ない。そして、特許文献３に記載の発明では、ユーザによる再生、停止、電源遮断指示がなければ、バックアップ用メモリに時間情報を記憶させることが出来ない。
【０００６】
したがって、本発明の目的は、テレビジョン放送や映画等の映像音声データの録画／再生中に該映像音声データの視聴の妨げとなるイベントを自動的に検出し、録画／再生を停止することなく、検出時点での映像音声データの録画／再生位置を記憶し、該録画／再生位置情報を自動的に削除することが出来る記録再生装置を提供することにある。
【課題を解決するための手段】
【０００７】
第１発明に係る録画再生装置は、テレビジョンチューナと、テレビジョンチューナで受信した放送番組を録画し、録画された放送番組を再生するＨＤＤと、外部音声を検出して音声信号に変換する音声検出部と、音声信号の特徴パラメータを抽出する特徴抽出部と、特徴パラメータを記憶する第１メモリと、音声検出部で新たに外部音声が検出された場合に、新たに検出された外部音声の特徴パラメータと、第１メモリに記憶された特徴パラメータとを比較し、一定の割合以上一致するか否かを判定する判定部と、ＨＤＤで録画された放送番組の再生開始時点から外部音声の検出時点までの第１経過時間と、ＨＤＤで放送番組の録画を開始した時点から外部音声の検出時点までの第２経過時間と、を計測するタイマカウンタと、録画再生部に録画された放送番組の番組識別番号と第１及び第２経過時間を記憶する揮発性の第２メモリと、ユーザからのキー入力を受け付ける操作部と、判定部に於いて、新たに検出された外部音声の特徴パラメータとメモリに記憶された音声の特徴パラメータとを比較して、一定の割合以上一致する場合に、ＨＤＤで録画された放送番組を再生中であれば、録画再生部から番組識別番号を読み出し、タイマカウンタから第１経過時間を読み出して、ＨＤＤで放送番組の録画中であれば、録画再生部から番組識別番号を読み出し、タイマカウンタから第２経過時間を読み出して、番組識別番号と第１及び第２経過時間を第２メモリに記憶させ、さらに、ユーザによる操作部へのキー入力によって、第２メモリに記憶された番組識別番号と第１及び第２経過時間を読み出し、番組識別番号と第１及び第２経過時間に対応する録画された放送番組の映像箇所から再生を実行させることを特徴とする。
【０００８】
この録画再生装置によれば、検出された外部音声の特徴パラメータと第１メモリに記憶
されている特徴パラメータが一定の割合以上一致するか否かが判定されるので、この判定結果によって、検出された外部音声が所定の音声であるか否かを判断することが出来る。
【０００９】
また、この録画再生装置によれば、外部音声が検出された時点で再生されていた放送番組の映像箇所が、何れの録画内容（コンテンツ）に属しているかを示す番組識別番号と、放送番組の再生／録画開始時点から外部音声の検出までの第１及び第２経過時間の両方の情報が第２メモリに記憶されるので、録画／再生された放送番組の何れの映像箇所で外部音声が検出されたのかを特定することが出来る。
【００１０】
また、一般に知られているリジューム再生機能では、所定の映像箇所に関する情報を取得するために、映像の再生を停止する必要があり、例えば、複数の人が同時に映像データを視聴している状況でリジューム再生機能を使用すると、映像の再生停止を望まない人まで映像の視聴を妨げられる。しかし、この録画再生装置によれば、所定の外部音声を検出した時点で録画再生部が録画番組を再生中であれば、再生を停止することなく、外部音声検出時に再生されていた映像箇所に関する情報が第２メモリに記憶されるので、非常に利便性が高い。
【００１１】
また、この録画再生装置によれば、第２メモリに記憶された番組識別番号と第１及び第２経過時間を読み出すことにより、外部音声が検出された時点で録画／再生されていた放送番組の映像箇所を特定することが出来るので、「早送り」や「巻き戻し」の作業を行って映像箇所を確認しながら探す必要がなく、直接映像箇所を再生することが出来る。さらに、ユーザは操作部へのキー入力によって、外部音声が検出された時点で録画／再生されていた放送番組の映像箇所を容易に再生することが出来るので、非常に利便性が高い。
【００１２】
また、この録画再生装置によれば、第２メモリが揮発性メモリであるので、録画再生装置の電源供給が遮断される際に、第２メモリに記憶された情報は消去される。したがって、第２メモリに記憶された放送番組の番組識別番号と経過時間の情報を自動的に消去することが出来るので、これらの情報を手動で消去させる手間を省くことが出来る。
【００１３】
また、この録画再生装置によれば、録画再生部がＨＤＤであるので、ランダムアクセスが可能であり、所定の番組識別番号と経過時間に対応する映像箇所に直接アクセスし、該映像箇所を即座に再生することが可能となる。
【００１４】
第２発明に係る録画再生装置は、テレビジョンチューナと、テレビジョンチューナで受信した放送番組を録画し、録画された放送番組を再生する録画再生部と、外部音声を検出して音声信号に変換する音声検出部と、音声信号の特徴パラメータを抽出する特徴抽出部と、特徴パラメータを記憶する第１メモリと、音声検出部で新たに外部音声が検出された場合に、新たに検出された外部音声の特徴パラメータと、第１メモリに記憶された特徴パラメータとを比較し、一定の割合以上一致するか否かを判定する判定部と、録画再生部で録画された放送番組の再生開始時点から外部音声の検出時点までの経過時間を計測するタイマカウンタと、録画再生部に録画された放送番組の番組識別番号と経過時間とを記憶する第２メモリと、判定部に於いて、新たに検出された外部音声の特徴パラメータと第１メモリに記憶された音声の特徴パラメータとを比較して、一定の割合以上一致する場合に、録画再生部が録画番組を再生中であれば、録画再生部から番組識別番号を読み出し、タイマカウンタから経過時間を読み出して、番組識別番号と経過時間とを第２メモリに記憶させる制御部とを備えることを特徴とする。
【００１５】
この録画再生装置によれば、検出された外部音声の特徴パラメータと第１メモリに記憶されている特徴パラメータが一定の割合以上一致するか否かが判定されるので、この判定結果によって、検出された外部音声が所定の音声であるか否かを判断することが出来る。
【００１６】
また、この録画再生装置によれば、外部音声が検出された時点で再生されていた放送番組の映像箇所が、何れの録画内容（コンテンツ）に属しているかを示す番組識別番号と、放送番組の再生開始時点から外部音声の検出までの経過時間の両方の情報が第２メモリに記憶されるので、再生された放送番組の何れの映像箇所で外部音声が検出されたのかを特
定することが出来る。
【００１７】
さらに、一般に知られているリジューム再生機能では、所定の映像箇所に関する情報を取得するために、映像の再生を停止する必要があり、例えば、複数の人が同時に映像データを視聴している状況でリジューム再生機能を使用すると、映像の再生停止を望まない人まで映像の視聴を妨げられる。しかし、この録画再生装置によれば、所定の外部音声を検出した時点で、録画再生部が録画番組を再生中であれば、再生を停止することなく、外部音声検出時に再生されていた映像箇所に関する情報が第２メモリに記憶されるので、非常に利便性が高い。
【００１８】
第３発明に係る録画再生装置は、テレビジョンチューナと、テレビジョンチューナで受信した放送番組を録画し、録画された放送番組を再生する録画再生部と、外部音声を検出して音声信号に変換する音声検出部と、音声信号の特徴パラメータを抽出する特徴抽出部と、特徴パラメータを記憶する第１メモリと、音声検出部で新たに外部音声が検出された場合に、新たに検出された外部音声の特徴パラメータと、メモリに記憶された特徴パラメータとを比較し、一定の割合以上一致するか否かを判定する判定部と、録画再生部で録画された放送番組の録画開始時点から外部音声の検出時点までの経過時間を計測するタイマカウンタと、録画再生部に録画された放送番組の番組識別番号と経過時間を記憶する第２メモリと、判定部に於いて、新たに検出された外部音声の特徴パラメータとメモリに記憶された音声の特徴パラメータとを比較して、一定の割合以上一致する場合に、録画再生部が放送番組を録画中であれば、録画再生部から番組識別番号を読み出し、タイマカウンタから経過時間を読み出して、番組識別番号と経過時間とを第２メモリに記憶させる制御部と、を備えることを特徴とする。
【００１９】
この録画再生装置によれば、検出された外部音声の特徴パラメータとメモリに記憶されている特徴パラメータが一定の割合以上一致するか否かが判定されるので、この判定結果によって、検出された外部音声が所定の音声であるか否かを判断することが出来る。
【００２０】
また、この録画再生装置によれば、外部音声が検出された時点で録画されていた放送番組の映像箇所が、何れの録画内容（コンテンツ）に属しているかを示す番組識別番号と、放送番組の録画開始時点から外部音声の検出時点までの経過時間の両方の情報が第２メモリに記憶されるので、録画されていた放送番組の何れの映像箇所で外部音声が検出されたのかを特定することが出来る。
【００２１】
第４発明に係る録画再生装置は、第２乃至第３発明の何れか一つに係る録画再生装置に於いて、さらに操作部を備えており、制御部は、ユーザによる操作部へのキー入力によって、第２メモリに記憶された番組識別番号と経過時間を読み出し、番組識別番号と経過時間に対応する録画された放送番組の映像箇所から再生を実行させることを特徴とする。
【００２２】
この録画再生装置によれば、第２メモリに記憶された番組識別番号と経過時間を読み出すことにより、外部音声が検出された時点で録画／再生されていた放送番組の映像箇所を特定することが出来るので、「早送り」や「巻き戻し」の作業を行って映像箇所を確認しながら探す必要がなく、直接映像箇所を再生することが出来る。
【００２３】
また、ユーザは操作部へのキー入力によって、外部音声が検出された時点で録画／再生されていた放送番組の映像箇所を容易に再生することが出来るので、非常に利便性が高い。
【００２４】
第５発明に係る録画再生装置は、第２乃至第４発明の何れか一つに係る録画再生装置に於いて、第２メモリは揮発性メモリであることを特徴とする。
【００２５】
この録画再生装置によれば、第２メモリが揮発性メモリであるので、録画再生装置の電源供給が遮断される際に、第２メモリに記憶された情報は消去される。したがって、第２
メモリに記憶された放送番組の番組識別番号と経過時間の情報を自動的に消去することが出来るので、これらの情報を手動で消去させる手間を省くことが出来る。
【００２６】
第６発明に係る録画再生装置は、第２乃至第５発明の何れか一つに係る録画再生装置に於いて、録画再生部は、ＨＤＤであることを特徴とする。
【００２７】
この録画再生装置によれば、録画再生部がＨＤＤであるので、ランダムアクセスが可能であり、所定の番組識別番号と経過時間に対応する映像箇所に直接アクセスし、該映像箇所を即座に再生することが可能となる。
【００２８】
第７発明に係る録画再生装置は、第２乃至第５発明の何れか一つに係る録画再生装置に於いて、録画再生部は、ＤＶＤ−ＲＷで映像音声を録画／再生可能なＤＶＤ装置であることを特徴とする。
【００２９】
この録画再生装置によれば、録画再生部がＤＶＤ装置であるので、ランダムアクセスが可能であり、所定の番組識別番号と経過時間に対応する映像箇所に直接アクセスし、該映像箇所を即座に再生することが可能となる。
【発明の効果】
【００３０】
本発明によれば、特定の外部音声を検出した時点で録画／再生されていた放送番組の映像箇所を特定し、該映像箇所を直接再生することができ、該映像箇所に関する情報を手動で消去することなく、電源供給遮断時に自動的に消去することが出来る。
【発明を実施するための最良の形態】
【００３１】
（１）第１実施形態
[構成]
図１は、本実施形態に係るＨＤＤレコーダ一体型テレビジョン放送受信機１の概略構成図である。ＨＤＤレコーダ一体型テレビジョン放送受信機１は、音声認識部３と、アンテナ１０と、テレビジョンチューナ１１と信号処理部１２と、切換スイッチ１３と、ＤＥＭＵＸ（デマルチプレクサ）１４と、音声信号処理部１５と、スピーカ１６と、映像信号処理部１７と、表示部１８と、操作部１９と、赤外線受光部２０と、メイン制御部２１と、ＨＤＤ２２と、タイマカウンタ２３と、ＲＡＭ２４と、ＲＯＭ２５と、電源部２６と、ＯＳＤ（On Screen Display）処理部２７とを備える。
【００３２】
音声認識部３は、マイクロホン４と、アンプ５と、Ａ／Ｄ変換器６と、特徴抽出部７と、音声認識制御部８と、ＥＥＰＲＯＭ９とを有する。マイクロホン４は、音声を取得し、アナログ音声信号に変換してアンプ５に出力する。アンプ５は、マイクロホン４からのアナログ信号を増幅するとともに、雑音などの不要な信号を除去し、Ａ／Ｄ変換部６に出力する。Ａ／Ｄ変換部６は、アンプ５からのアナログ音声信号をデジタル信号に変換して特徴抽出部７に出力する。特徴抽出部７は、Ａ／Ｄ変換部６からの信号に基づいて、特徴パラメータ（周波数成分ごとの振幅と位相の関係）を抽出し、音声認識制御部８に出力する。ＥＥＰＲＯＭ９は書き換え可能な不揮発性メモリであり、マイクロホン４を介して取得された複数の音声に対応する特徴パラメータを記憶する。なお、ＥＥＰＲＯＭの代わりにフラッシュ等の不揮発性メモリを使用しても良い。音声認識制御部８は、特徴抽出部７から出力された特徴パラメータと、ＥＥＰＲＯＭ９に記憶された音声データの特徴パラメータとを比較して、一定の割合以上が一致するか否かを判定し、判定結果をメイン制御部２１に出力する。
【００３３】
アンテナ１０は、テレビジョン放送の放送電波を受信し、電気信号である放送信号に変換する。テレビジョンチューナ１１は、アンプ、フィルタ、混合器、ＰＬＬ等（図示せず
）で構成されており、放送信号に所定の処理を施して信号処理部１２に出力する。信号処理部１２は、チューナ１１からの信号をデジタル化して圧縮し、ＨＤＤ２２に出力するとともに、切換スイッチ１３を介してＤＥＭＵＸ１４に出力する。ＨＤＤ２２は磁気ディスクや不揮発性メモリ等（図示せず）を内蔵しており、信号処理部１２からの信号を記録して放送番組のコンテンツを録画するとともに、記録された信号を切換スイッチ１３を介してＤＥＭＵＸ１４に出力する。切換スイッチ１３は、メイン制御部２１によって制御され、信号処理部１２とＨＤＤ２２からの信号を切り換えて、ＤＥＭＵＸ１４に出力する。ＤＥＭＵＸ１４は、多重化されている放送信号から映像信号と音声信号を分離抽出し、各信号を音声信号処理部１５及び映像信号処理部１７に出力する。音声信号処理部１５は、デジタル圧縮された音声信号を伸張し、アナログ変換してスピーカ１６に出力する。映像信号処理部１７は、デジタル圧縮された映像信号を伸張し、アナログ変換して表示部１８に出力する。
【００３４】
操作部１９は、複数の入力キーを備えたリモコンであり、ユーザによるキー入力を受け付けて、この結果を赤外線発光部（図示せず）を介して赤外線受光部２０に出力する。赤外線受光部１９は、操作部１９からの信号をメイン制御部２１に出力する。
【００３５】
メイン制御部２１は、操作部１９からの信号を受け付けるとともに、テレビジョンチューナ１１と、ＨＤＤ２２と、切換スイッチ１３と、ＯＳＤ処理部２７と、タイマカウンタ２３と、ＲＡＭ２４と、ＲＯＭ２５と、電源部２６とを制御する。
【００３６】
タイマカウンタ２３は、ＨＤＤ２２に記憶された放送番組のコンテンツの再生経過時間、録画経過時間等、所定の時間経過を計測する。ＲＡＭ２４は揮発性メモリであり、所定の情報を一時的に記憶する。ＲＡＭ２４に記憶されたデータは、電源供給が遮断された時点で消去される。ＲＯＭ２５は不揮発性メモリであり、ＯＳＤ処理部２７に出力する画像データ等を記憶している。電源部２６は、ＨＤＤレコーダ一体型テレビジョン放送受信機１の電源投入及び電源遮断を切り換える。ＯＳＤ処理部２７は、ＲＯＭ２５に記憶されているＯＳＤ画面の画像データを表示部１８に出力させる。
【００３７】
[再生時の再生位置記録方法]  
図２は、本実施形態に係るＨＤＤレコーダ一体型テレビジョン放送受信機１の録画映像再生時に於ける再生位置記録方法に関するフローチャートである。
【００３８】
上述の通り、ＨＤＤレコーダ一体型テレビジョン放送受信機１は、音声認識部３を備えており（図１参照）、特定のイベント発生を検出するために、イベント発生を示す音声を複数登録することが出来る。本実施形態に於いて対象となるイベントは、来客、固定電話及び携帯電話の着信であり、それぞれのイベント発生に伴い検出すべき音声は、インターホンの呼び出し音、固定電話及び携帯電話の着信音である。音声登録はユーザが操作部１９の所定のキーを押下することによって実行され、この時、マイクロホン４によって外部音声が検出されると、特徴抽出部７に於いて該外部音声の特徴パラメータ（周波数成分ごとの振幅と位相の関係）が抽出され、ＥＥＰＲＯＭ９に記憶され、音声登録が完了する。なお、本実施形態に於いて、インターホンの呼び出し音、固定電話及び携帯電話の着信音を音声登録する構成としたが、給湯器の湯沸かし完了を示すブザーや、洗濯機の洗濯動作完了を示すブザー等の音声を記憶し、来客、電話の着信以外のイベントを検出するようにしても良い。また、本実施形態に於いて、特徴パラメータとして周波数成分ごとの振幅と位相の関係を用いているが、隠れマルコフモデル（ＨＭＭ：Hidden Markov Model）等の
確率モデルによる音声パターンを用いても良く、非線形時間軸圧縮（ＤＴＷ：Dynamic Time Warping）による音声パターンを用いても良い。
【００３９】
音声認識部３への音声登録後に、外部音声がマイクロホン４によって検出された場合（Ｓ１１）、この外部音声の特徴パラメータが特徴抽出部７で抽出され、音声認識制御部８
に出力される。音声認識制御部８は、この外部音声の特徴パラメータと、ＥＥＰＲＯＭ９に登録された音声の特徴パラメータとを比較し（Ｓ１２）、これらの特徴パラメータが所定の割合で一致するか否かを判定して、この結果をメイン操作部２１に出力する。外部音声の特徴パラメータとＥＥＰＲＯＭ９に記憶された音声の特徴パラメータが所定の割合で一致する場合、つまり、イベント発生が検知された場合、メイン制御部２１は、ＨＤＤ２２に録画された映像データが現在再生中であるか否かを判定する（Ｓ１３）。反対に、ステップ１２に於いて、外部音声の特徴パラメータが、ＥＥＰＲＯＭ９に記憶された音声の特徴パラメータと所定の割合で一致しない場合には、ステップ１１に戻る。
【００４０】
ステップ１３に於いて、ＨＤＤ２２が映像データを再生中であれば、メイン制御部２１は、イベント発生検出時点で再生されていた映像箇所が何れの録画番組（コンテンツ）に属しているかを識別するために、番組識別番号をＨＤＤ２２の磁気ディスから読み出し、さらに、この映像箇所が再生開始時点から何時の時点に記録されているかを示す経過時間をタイマカウンタ２３から読み出して、これらの情報をＲＡＭ２４に記憶させる（Ｓ１４）。なお、メイン制御部２１は、ＨＤＤ２２が映像データを再生開始した時点でタイマカウンタ２３を制御して、経過時間を計測させる。そして、メイン制御部２１は、ＲＯＭ２５に記憶されているＯＳＤ画面用のデータを読み出し、ＯＳＤ処理部２７を制御して、該ＯＳＤ画面用データを表示部１８に出力させる（Ｓ１５）。具体的には、音声認識部３で登録された複数の音声のそれぞれに対応する絵図がＲＯＭ２５に記憶されており、発生したイベントごとに絵図を切り換えて表示部１８に出力させる。一方、ステップ１３に於いて、ＨＤＤ２２がコンテンツを再生中でない場合には、ステップ１１に戻る。
【００４１】
ステップ１６に於いて、ユーザが操作部１９に設けられた電源ＯＮ／ＯＦＦキーを押下して、メイン制御部２１が電源部２６を制御することによってＨＤＤ一体型テレビジョン放送受信機１への電源供給を遮断する場合、ＲＡＭ２４に記憶された番組識別番号及び経過時間に関する情報は自動的に消去される（Ｓ１９）。反対に、ステップ１６に於いて、ユーザがＨＤＤ一体型テレビジョン放送受信機１への電源供給を遮断せず（Ｓ１６）、操作部１９の操作によりＯＳＤ画面に表示された絵図を選択する動作、若しくは、操作部１９に設けられた専用キーや「巻き戻し」キー、「再生」キー等を押下する動作を行った場合（Ｓ１７）、メイン制御部２１はＲＡＭ２４に記憶された番組識別番号及び経過時間に対応するＨＤＤ２２内の磁気ディスク上のセクタアドレスにアクセスし、イベント検出時点に於ける映像箇所の再生時点から再生することが出来る（Ｓ１８）。一方、ステップ１７に於いて、ユーザがイベント検出時点に於ける映像の再生位置から再生を再開するための操作部１９のキー入力を実行しない場合には、ステップ１６に戻る。また、ステップ１８に於いて、イベント検出時点に再生されていた映像箇所から再生を行うと、メイン制御部２１はＲＡＭ２４に記憶された番組識別番号及び経過時間に関する情報を消去する。
【００４２】
なお、本実施形態に於いて、記憶可能なタイマカウンタ２３による録画番組の再生開始からの経過時間情報の数は、ＲＡＭの容量に従うものとする。
【００４３】
[録画時の録画位置記録方法]  
図３は、本実施形態に係るＨＤＤレコーダ一体型テレビジョン放送受信機１によって放送番組を録画し、同時に該放送番組を視聴する場合に於ける再生位置記録方法に関するフローチャートである。なお、ユーザによる音声認識部３への外部音声登録に関する方法については上述の通りであるので、ここでは説明を省略する。  
【００４４】
音声認識部３への外部音声登録後に、外部音声がマイクロホン４によって検出された場合（Ｓ２１）、この外部音声の特徴パラメータが徴抽出部７で抽出され、音声認識制御部８に出力される。音声認識制御部８は、この外部音声の特徴パラメータと、ＥＥＰＲＯＭ９に登録された音声の特徴パラメータと比較し（Ｓ２２）、これらの特徴パラメータが所
定の割合で一致するか否かを判定して、結果をメイン操作部２１に出力する。外部音声の特徴パラメータとＥＥＰＲＯＭ９に記憶された音声の特徴パラメータが所定の割合で一致する場合、つまり、イベント発生が検知された場合、メイン制御部２１は、ＨＤＤ２２が放送番組を録画中であるか否かを判定する（Ｓ２３）。反対に、ステップ２２に於いて、外部音声の特徴パラメータが、ＥＥＰＲＯＭ９に記憶された音声の特徴パラメータと所定の割合で一致しない場合には、ステップ２１に戻る。
【００４５】
ステップ２３に於いて、ＨＤＤ２２が放送番組を録画中であれば、メイン制御部２１は、イベント発生検出時点で録画されていた映像箇所が何れの録画番組（コンテンツ）に属しているかを識別するために、番組識別番号をＨＤＤ２２の磁気ディスクから読み出し、さらに、この映像箇所が録画開始時点から何時の時点に記録されているかを示す経過時間をタイマカウンタ２３から読み出して、これらの情報をＲＡＭ２４に記憶させる（Ｓ２４）。なお、メイン制御部２１は、ＨＤＤ２２が映像データを録画開始した時点でタイマカウンタ２３を制御して、経過時間を計測させる。そして、メイン制御部２１は、ＲＯＭ２５に記憶されているＯＳＤ画面用のデータを読み出し、ＯＳＤ処理部２７を制御して、該ＯＳＤ画面用データを表示部１８に出力させる（Ｓ２５）。具体的には、音声認識部３で登録された複数の音声のそれぞれに対応する絵図がＲＯＭ２５に記憶されており、発生したイベントごとに絵図を切り換えて表示部１８に出力させる。一方、ステップ２３に於いて、ＨＤＤ２２が放送番組を録画中でなければ、ステップ２１に戻る。
【００４６】
ステップ２６に於いて、ユーザが操作部１９に設けられた電源ＯＮ／ＯＦＦキーを押下して、メイン制御部２１が電源部２６を制御することによってＨＤＤ一体型テレビジョン放送受信機１への電源供給を遮断する場合、ＲＡＭ２４に記憶された番組識別番号及び経過時間に関する情報は自動的に消去される（Ｓ２９）。反対に、ステップ２６に於いて、ユーザがＨＤＤ一体型テレビジョン放送受信機１への電源供給を遮断せず（Ｓ２６）、操作部１９の操作によりＯＳＤ画面に表示された絵図を選択する動作、若しくは、操作部１９に設けられた専用キーや「巻き戻し」キー、「再生」キー等を押下する動作を行った場合（Ｓ２７）、メイン制御部２１は、ＲＡＭ２４に記憶された番組識別番号及び経過時間に対応するＨＤＤ２２内の磁気ディスク上のセクタアドレスにアクセスすることによって、イベント検出時点に於ける放送番組の録画時点から再生することが出来る（Ｓ２８）。なお、放送番組の録画を継続しながら録画開始位置まで遡って録画データを再生する機能は「追っかけ再生」機能として一般に知られているが、本実施形態に於いては、録画開始位置に限らず、イベント発生検出時点の録画位置に遡って再生することが出来る点で従来の「追っかけ再生」とは異なる。一方、ステップ２７に於いて、ユーザがイベント検出時点に於ける映像の再生位置から再生を再開するための操作部１９のキー入力を実行しない場合には、ステップ２６に戻る。また、ステップ２８に於いて、イベント検出時点に再生されていた映像箇所から再生を行うと、メイン制御部２１はＲＡＭ２４に記憶された番組識別番号及び経過時間に関する情報を消去する。
【００４７】
なお、本実施形態に於いて、記憶可能なタイマカウンタ２３による放送番組の録画開始からの経過時間情報の数は、ＲＡＭの容量に従うものとする。
【００４８】
[作用効果]
本実施形態に係るＨＤＤレコーダ一体型テレビジョン放送受信機１によれば、検出された外部音声の特徴パラメータとＥＥＰＲＯＭ９に記憶されているインターホンの呼び出し音、固定電話及び携帯電話の着信音の特徴パラメータが一定の割合以上一致するか否かが判定されるので、この判定結果によって、検出された外部音声が所定の音声であるか否か、言い換えれば、来客、固定電話及び携帯電話の着信というイベントが発生したか否かを判断することが出来る。
【００４９】
また、一般に知られているリジューム再生機能では、所定の映像箇所に関する情報を取得するために、映像の再生を停止する必要があり、例えば、複数の人が同時に映像データを視聴している状況でリジューム再生機能を使用すると、映像の再生停止を望まない人まで映像の視聴を妨げられてしまう。しかし、本実施形態に係るＨＤＤレコーダ一体型テレビジョン放送受信機１によれば、所定の外部音声を検出した時点で、ＨＤＤ２２が録画番組を再生中であれば、再生を停止することなく、外部音声検出時に再生されていた映像箇所に関する情報がＲＡＭ２４に記憶されるので、非常に利便性が高い。
【００５０】
また、本実施形態に係るＨＤＤレコーダ一体型テレビジョン放送受信機１によれば、外部音声が検出された時点で録画／再生されていた放送番組の映像箇所が、何れの録画内容（コンテンツ）として記録されているのかを示す番組識別番号と、放送番組の録画／再生開始時点から外部音声の検出までの経過時間の両方の情報がＲＡＭ２４に記憶されるので、再生された放送番組の何れの映像箇所で外部音声が検出されたのかを特定することが出来る。さらに、ＲＡＭ２４が揮発性メモリであるので、録画再生装置の電源供給が遮断される際に、ＲＡＭ２４に記憶された情報は消去される。したがって、ＲＡＭ２４に記憶された放送番組の番組識別番号と経過時間の情報を自動的に消去することが出来るので、これらの情報を手動で消去させる手間を省くことが出来る。
【００５１】
また、本実施形態に係るＨＤＤレコーダ一体型テレビジョン放送受信機１によれば、ＲＡＭ２４に記憶された番組識別番号と経過時間を読み出すことにより、外部音声が検出された時点で録画／再生されていた放送番組の映像箇所を特定することが出来るので、「早送り」や「巻き戻し」の作業を行って映像箇所を確認しながら探す必要がなく、直接映像箇所を再生することが出来る。さらに、ユーザは操作部へのキー入力によって、外部音声が検出された時点で録画／再生されていた放送番組の映像箇所を容易に再生することが出来るので、非常に利便性が高い。
【００５２】
また、本実施形態に係るＨＤＤレコーダ一体型テレビジョン放送受信機１によれば、ＨＤＤ２２を搭載することによって、映像箇所へのランダムアクセスが可能となり、所定のセクタアドレスに直接アクセスすることによって、該セクタアドレスに記録された映像を即座に再生することが可能となる。
（２）第２実施形態
[構成]
図４は、本実施形態に係るＤＶＤレコーダ一体型テレビジョン放送受信機２の概略構成図である。なお、本実施形態に係るＤＶＤレコーダ一体型テレビジョン放送受信機２の構成と、実施形態１に係るＨＤＤレコーダ一体型テレビジョン放送受信機１の構成は略同一であるので、同様の構成については同一符号を付して特徴部分のみを説明する。
【００５３】
ＤＶＤ装置２８は、ＤＶＤ−ＲＷ（書き換え可能なＤＶＤ）のＶＲモード（再生、録画、フル編集が可能なモード）で再生、録画、編集可能なＤＶＤ装置である。ＤＶＤ装置２８は、信号処理部１２からの信号をＤＶＤ装置２８内に装着されたＤＶＤ―ＲＷ（図示せず）に記録して放送番組のコンテンツを録画するとともに、切換スイッチ１３を介してＤＶＤ−ＲＷ（以降、ＤＶＤと称す）に記録された信号をＤＥＭＵＸ１４に出力する。
【００５４】
[再生時の再生位置記録方法]  
図５は、本実施形態に係るＤＶＤレコーダ一体型テレビジョン放送受信機２の録画映像再生時に於ける再生位置記録方法に関するフローチャートである。
【００５５】
ＤＶＤレコーダ一体型テレビジョン放送受信機２は、音声認識部３を備えており（図４参照）、特定のイベント発生を検出するために、イベント発生を示す音声を複数登録する
ことが出来る。本実施形態に於いて対象となるイベントは、来客、固定電話及び携帯電話の着信であり、それぞれのイベント発生に伴い検出すべき音声は、インターホンの呼び出し音、固定電話及び携帯電話の着信音である。音声登録はユーザが操作部１９の所定のキーを押下することによって実行され、この時、マイクロホン４によって外部音声が検出されると、特徴抽出部７に於いて該外部音声の特徴パラメータ（周波数成分ごとの振幅と位相の関係）が抽出され、ＥＥＰＲＯＭ９に記憶され、音声登録が完了する。なお、本実施形態に於いて、インターホンの呼び出し音、固定電話及び携帯電話の着信音を音声登録する構成としたが、給湯器の湯沸かし完了を示すブザーや、洗濯機の洗濯動作完了を示すブザー等の音声を記憶し、来客、電話着信以外のイベントを検出するようにしても良い。また、本実施形態に於いて、特徴パラメータとして周波数成分ごとの振幅と位相の関係を用いているが、隠れマルコフモデル（ＨＭＭ：Hidden Markov Model）等の確率モデルによ
る音声パターンを用いても良く、非線形時間軸圧縮（ＤＴＷ：Dynamic Time Warping）による音声パターンを用いても良い。
【００５６】
音声認識部３への音声登録後に、外部音声がマイクロホン４によって検出された場合（Ｓ３１）、この外部音声の特徴パラメータが特徴抽出部７で抽出され、音声認識制御部８に出力される。音声認識制御部８は、この外部音声の特徴パラメータと、ＥＥＰＲＯＭ９に登録された音声の特徴パラメータと比較し（Ｓ３２）、これらの特徴パラメータが所定の割合で一致するか否かを判定して、この結果をメイン操作部２１に出力する。外部音声の特徴パラメータとＥＥＰＲＯＭ９に記憶された音声の特徴パラメータが所定の割合で一致する場合、つまり、イベント発生が検知された場合、メイン制御部２１は、ＤＶＤ装置２８に記録された映像内容（タイトル）が現在再生中であるか否かを判定する（Ｓ３３）。反対に、ステップ３２に於いて、外部音声の特徴パラメータが、ＥＥＰＲＯＭ９に記憶された音声の特徴パラメータと所定の割合で一致しない場合には、ステップ３１に戻る。
【００５７】
ステップ３３に於いて、ＤＶＤ装置２８がＤＶＤのタイトルを再生中であれば、メイン制御部２１は、イベント発生検出時点で再生されていた映像箇所が何れの録画番組（コンテンツ）に属しているかを識別するために、番組識別番号をＤＶＤ装置２８に装着されたＤＶＤから読み出し、さらに、この映像箇所が再生開始時点から何時の時点に記録されているかを示す経過時間をタイマカウンタ２３から読み出して、これらの情報をＲＡＭ２４に記憶させる（Ｓ３４）。なお、メイン制御部２１は、ＤＶＤ装置２８がＤＶＤの映像データを再生開始した時点でタイマカウンタ２３を制御して、経過時間を計測させる。そして、メイン制御部２１は、ＲＯＭ２５に記憶されているＯＳＤ画面用のデータを読み出し、ＯＳＤ処理部２７を制御して、該ＯＳＤ画面用データを表示部１８に出力させる（Ｓ３５）。具体的には、音声認識部３で登録された複数の音声のそれぞれに対応する絵図がＲＯＭ２５に記憶されており、発生したイベントごとに絵図を切り換えて表示部１８に出力させる。一方、ステップ３３に於いて、ＤＶＤ装置２８がコンテンツを再生中でない場合には、ステップ３１に戻る。
【００５８】
ステップ３６に於いて、ユーザが操作部１９に設けられた電源ＯＮ／ＯＦＦキーを押下して、メイン制御部２１が電源部２６を制御することによってＤＶＤレコーダ一体型テレビジョン放送受信機２への電源供給を遮断する場合、ＲＡＭ２４に記憶された番組識別番号及び経過時間に関する情報は自動的に消去される（Ｓ３９）。反対に、ステップ２６に於いて、ユーザがＤＶＤレコーダ一体型テレビジョン放送受信機２への電源供給を遮断せず（Ｓ３６）、操作部１９の操作によりＯＳＤ画面に表示された絵図を選択する動作、若しくは、操作部１９に設けられた専用キーや「巻き戻し」キー、「再生」キー等を押下する動作を行った場合（Ｓ２７）、メイン制御部２１は、ＲＡＭ２４に記憶された番組識別番号及び経過時間に対応するＤＶＤ上のセクタアドレスにアクセスすることによって、イベント検出時点に於ける放送番組の録画箇所から再生することが出来る（Ｓ３８）。一方、ステップ３７に於いて、ユーザがイベント検出時点に於ける映像の再生位置から再生を
行うための操作部１９のキー入力を実行しない場合には、ステップ３６に戻る。また、ステップ３８に於いて、イベント検出時点に於ける映像データの再生時点から再生を行うと、メイン制御部２１はＲＡＭ２４に記憶された番組識別番号及び経過時間に関する情報を消去する。
【００５９】
なお、本実施形態に於いて、記憶可能なタイマカウンタ２３による録画番組の再生開始からの経過時間情報の数は、ＲＡＭ２４の容量に従うものとする。
【００６０】
[録画時の録画位置記録方法]  
図６は、本実施形態に係るＤＶＤコーダ一体型テレビジョン放送受信機２によって放送番組を録画し、同時に該放送番組を視聴する場合に於ける再生位置記録方法に関するフローチャートである。なお、ユーザによる音声認識部３への外部音声登録に関する方法については上述の通りであるので、ここでは説明を省略する。  
【００６１】
音声認識部３への外部音声登録後に、外部音声がマイクロホン４によって検出された場合（Ｓ４１）、この外部音声の特徴パラメータが徴抽出部７で抽出され、音声認識制御部８に出力される。音声認識制御部８は、この外部音声の特徴パラメータと、ＥＥＰＲＯＭ９に登録された音声の特徴パラメータと比較し（Ｓ４２）、これらの特徴パラメータが所定の割合で一致するか否かを判定して、結果をメイン操作部２１に出力する。外部音声の特徴パラメータとＥＥＰＲＯＭ９に記憶された音声の特徴パラメータが所定の割合で一致する場合、つまり、イベント発生が検知された場合、メイン制御部２１は、ＤＶＤ装置２８に装着されたＤＶＤに放送番組を録画中であるか否かを判定する（Ｓ４３）。反対に、ステップ４２に於いて、外部音声の特徴パラメータが、ＥＥＰＲＯＭ９に記憶された音声の特徴パラメータと所定の割合で一致しない場合には、ステップ４１に戻る。
【００６２】
ステップ４３に於いて、ＤＶＤ装置２８がＤＶＤに放送番組を録画中であれば、メイン制御部２１は、イベント発生検出時点で録画されていた映像箇所が何れの録画番組（コンテンツ）に属しているかを識別するために、番組識別番号をＤＶＤ装置２８に装着されたＤＶＤから読み出し、さらに、この映像箇所が録画開始時点から何時の時点に記録されているかを示す経過時間をタイマカウンタ２３から読み出して、これらの情報をＲＡＭ２４に記憶させる（Ｓ４４）。なお、メイン制御部２１は、ＤＶＤ装置２８がＤＶＤの映像データを録画開始した時点でタイマカウンタ２３を制御して、経過時間を計測させる。そして、メイン制御部２１は、ＲＯＭ２５に記憶されているＯＳＤ画面用のデータを読み出し、ＯＳＤ処理部２７を制御して、該ＯＳＤ画面用データを表示部１８に出力させる（Ｓ４５）。具体的には、音声認識部３で登録された複数の音声のそれぞれに対応する絵図がＲＯＭ２５に記憶されており、発生したイベントごとに絵図を切り換えて表示部１８に出力させる。なお、メイン制御部２１は、表示部１８にＯＳＤ画面を出力した時点から、タイマカウンタ２３を制御してイベント発生後の時間を計測させる。一方、ステップ４３に於いて、ＤＶＤ装置２８が放送番組を録画中でなければ、ステップ４１に戻る。
【００６３】
ステップ４６に於いて、ユーザが操作部１９に設けられた電源ＯＮ／ＯＦＦキーを押下して、メイン制御部２１が電源部２６を制御することによってＤＶＤレコーダ一体型テレビジョン放送受信機２への電源供給を遮断する場合、ＲＡＭ２４に記憶された番組識別番号及び経過時間に関する情報は自動的に消去される（Ｓ４９）。反対に、ステップ４６に於いて、ユーザがＤＶＤレコーダ一体型テレビジョン放送受信機２への電源供給を遮断せず（Ｓ４６）、操作部１９の操作によりＯＳＤ画面に表示された絵図を選択する動作、若しくは、操作部１９に設けられた専用キーや「巻き戻し」キー、「再生」キー等を押下する動作を行った場合（Ｓ４７）、メイン制御部２１は、ＲＡＭ２４に記憶された番組識別番号及び経過時間に対応するＤＶＤ−ＲＷ上のセクタアドレスにアクセスすることによって、イベント検出時点に於ける放送番組の録画時点から再生することが出来る（Ｓ４８）
。なお、放送番組の録画を継続しながら録画開始位置まで遡って録画データを再生する機能は「追っかけ再生」機能として一般に知られているが、本実施形態に於いては、録画開始位置に限らず、イベント発生検出時点の録画位置に遡って再生することが出来る点で、従来の「追っかけ再生」と異なる機能を有する。また、「追っかけ再生」機能を有する装置はＨＤＤレコーダが主流となっているが、近年、ＤＶＤ―ＲＷのＶＲモードで「追っかけ再生」機能を有するＤＶＤ装置も市場に流通し始めており、これからの需要は増加していくことが予想される。一方、ステップ４７に於いて、ユーザがイベント検出時点に於ける映像の再生位置から再生するための操作部１９のキー入力を実行しない場合には、ステップ４６に戻る。また、ステップ４８に於いて、イベント検出時点に於ける映像データの録画時点から再生を行うと、メイン制御部２１はＲＡＭ２４に記憶された番組識別番号及び経過時間に関する情報を消去する。
【００６４】
なお、本実施形態に於いて、記憶可能なタイマカウンタ２３による放送番組の録画開始からの経過時間情報の数は、ＲＡＭ２４の容量に従うものとする。
【００６５】
[作用効果]
本実施形態に係るＤＶＤレコーダ一体型テレビジョン放送受信機２によれば、検出された外部音声の特徴パラメータとＥＥＰＲＯＭ９に記憶されているインターホンの呼び出し音、固定電話及び携帯電話の着信音の特徴パラメータが一定の割合以上一致するか否かが判定されるので、この判定結果によって、検出された外部音声が所定の音声であるか否か、言い換えれば、来客、固定電話及び携帯電話の着信というイベントが発生したか否かを判断することが出来る。
【００６６】
また、一般に知られているリジューム再生機能では、所定の映像箇所に関する情報を取得するために、映像の再生を停止する必要があり、例えば、複数の人が同時に映像データを視聴している状況でリジューム再生機能を使用すると、映像の再生停止を望まない人まで映像の視聴を妨げられてしまう。しかし、本実施形態に係るＤＶＤレコーダ一体型テレビジョン放送受信機２によれば、所定の外部音声を検出した時点で、ＤＶＤ装置がＤＶＤに録画された映像を再生中であれば、再生を停止することなく外部音声検出時に再生されていた映像箇所に関する情報がＲＡＭ２４に記憶されるので、非常に利便性が高い。
【００６７】
また、本実施形態に係るＤＶＤレコーダ一体型テレビジョン放送受信機２によれば、外部音声が検出された時点で録画／再生されていた放送番組の映像箇所が、何れの録画内容（コンテンツ）として記録されているのかを示す番組識別番号と、放送番組の録画／再生開始時点から外部音声の検出までの経過時間の両方の情報がＲＡＭ２４に記憶されるので、再生された放送番組の何れの映像箇所で外部音声が検出されたのかを特定することが出来る。さらに、ＲＡＭ２４が揮発性メモリであるので、録画再生装置の電源供給が遮断される際に、ＲＡＭ２４に記憶された情報は消去される。したがって、ＲＡＭ２４に記憶された放送番組の番組識別番号と経過時間の情報を自動的に消去することが出来るので、これらの情報を手動で消去させる手間を省くことが出来る。
【００６８】
また、本実施形態に係るＤＶＤレコーダ一体型テレビジョン放送受信機２によれば、ＲＡＭ２４に記憶された番組識別番号と経過時間を読み出すことにより、外部音声が検出された時点で録画／再生されていた放送番組の映像箇所を特定することが出来るので、「早送り」や「巻き戻し」の作業を行って映像箇所を確認しながら探す必要がなく、直接映像箇所を再生することが出来る。さらに、ユーザは操作部１９へのキー入力によって、外部音声が検出された時点で録画／再生されていた放送番組の映像箇所を容易に再生することが出来るので、非常に利便性が高い。
【００６９】
また、本実施形態に係るＤＶＤレコーダ一体型テレビジョン放送受信機２によれば、Ｄ
ＶＤ装置２８を搭載することによって、ランダムアクセスが可能となり、所定の番組識別番号と経過時間に対応する映像箇所に直接アクセスし、該映像箇所を即座に再生することが可能となる。
（３）その他の実施形態
第１実施形態及び第２実施形態に於ける発明は、ＨＤＤレコーダ一体型のテレビジョン放送受信機、及び、ＤＶＤレコーダ一体型のテレビジョン放送受信機に関するものであるが、ＨＤＤレコーダ又はＤＶＤレコーダ単体でも良い。また、録画／再生可能なＤＶＤ装置とＨＤＤとを備えたレコーダでも良い。さらに、録画／再生可能なＤＶＤ装置とＨＤＤとを備えたテレビジョン放送受信機であっても良い。
【図面の簡単な説明】
【００７０】
【図１】第１実施形態に係るＨＤＤレコーダ一体型テレビジョン放送受信機の概略構成図
【図２】第１実施形態に係る再生時の再生位置記録方法に関するフローチャート
【図３】第１実施形態に係る記録時の再生位置記録方法に関するフローチャート
【図４】第２実施形態に係るＤＶＤレコーダ一体型テレビジョン放送受信機の概略構成図
【図５】第２実施形態に係る再生時の再生位置記録方法に関するフローチャート
【図６】第２実施形態に係る記録時の再生位置記録方法に関するフローチャート
【符号の説明】
【００７１】
１      ＨＤＤレコーダ一体型テレビジョン放送受信機
２      ＤＶＤレコーダ一体型テレビジョン放送受信機
３      音声認識部
４      マイクロホン
５      アンプ
６      Ａ／Ｄ変換部
７      特徴抽出部
８      音声認識制御部
９      ＥＥＰＲＯＭ
１０    アンテナ
１１    テレビジョンチューナ
１２    信号処理部
１３    切換スイッチ
１４    ＤＥＭＵＸ
１５    音声信号処理部
１６    スピーカ
１７    映像信号処理部
１８    表示部
１９    操作部
２０    赤外線受光部
２１    メイン制御部
２２    ＨＤＤ
２３    タイマカウンタ
２４    ＲＡＭ  
２５    ＲＯＭ
２６    電源部
２７    ＯＳＤ処理部
２８    ＤＶＤ装置
【図１】
2006115231.tif 000003
【図２】
2006115231.tif 000004
【図３】
2006115231.tif 000005
【図４】
2006115231.tif 000006
【図５】
2006115231.tif 000007
【図６】
2006115231.tif 000008